【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
メディア資産使用を判定する方法であって、
第１のメディア資産に対応する使用データから第１のタイプの前記第１のメディア資産の第１のコンテンツクリエータを識別するステップと、
第２のメディア資産に対応する使用データから第２のタイプの前記第２のメディア資産の第２のコンテンツクリエータを識別するステップであって、前記第１のメディア資産の前記第１のタイプと前記第２のメディア資産の前記第２のタイプとは異なる、ステップと、
前記第１のメディア資産および前記第２のメディア資産の少なくとも１つに対応する前記使用データが、対応するコンテンツクリエータを示すことができない場合に、検索動作を実行して、前記第１のメディア資産および前記第２のメディア資産の前記少なくとも１つを識別するステップと、
コンテンツクリエータによる前記第１のメディア資産および前記第２のメディア資産の、使用を示す結果を提供するステップと、
を含む、前記方法。
【請求項２】
前記第１のコンテンツクリエータおよび前記第２のコンテンツクリエータは、同一のエンティティである、請求項１に記載の方法。
【請求項３】
前記第１のコンテンツクリエータおよび前記第２のコンテンツクリエータは、異なるエンティティである、請求項１に記載の方法。
【請求項４】
前記第１のコンテンツクリエータおよび前記第２のコンテンツクリエータは、副系列局に分解される、請求項１に記載の方法。
【請求項５】
前記検索動作は、前記第１のメディア資産および前記第２のメディア資産の前記少なくとも１つにアクセスするのに使用されるドメイン名からコンテンツクリエータを判定する、請求項１に記載の方法。
【請求項６】
前記検索動作は、ソーシャルネットワーキングシステムに対して行われる前記第１のメディア資産および前記第２のメディア資産の前記少なくとも１つに関するポストからコンテンツクリエータを判定する、請求項１に記載の方法。
【請求項７】
同一のメディア資産に関する第１のポストおよび第２のポストは、前記第１のポストが行われる時と前記第２のポストが行われる時との間にある時間期間が超過する場合に限ってカウントされる、請求項６に記載の方法。
【請求項８】
メディア資産使用を判定する装置であって、
第１のメディア資産に対応する使用データから第１のタイプの前記第１のメディア資産の第１のコンテンツクリエータを識別する手段と、
第２のメディア資産に対応する使用データから第２のタイプの前記第２のメディア資産の第２のコンテンツクリエータを識別する手段であって、前記第１のメディア資産の前記第１のタイプと前記第２のメディア資産の前記第２のタイプとは異なる、識別する手段と、
前記第１のメディア資産および前記第２のメディア資産の少なくとも１つに対応する前記使用データが、対応するコンテンツクリエータを示すことができない場合に、前記第１のメディア資産および前記第２のメディア資産の前記少なくとも１つを識別するための検索動作を実行する手段と、
コンテンツクリエータによる前記第１のメディア資産および前記第２のメディア資産の、使用を示す結果を提供する手段と、
を含む、前記装置。
【請求項９】
前記第１のコンテンツクリエータおよび前記第２のコンテンツクリエータは、同一のエンティティである、請求項８に記載の装置。
【請求項１０】
前記第１のコンテンツクリエータおよび前記第２のコンテンツクリエータは、異なるエンティティである、請求項８に記載の装置。
【請求項１１】
前記第１のコンテンツクリエータおよび前記第２のコンテンツクリエータは、副系列局に分解される、請求項８に記載の装置。
【請求項１２】
前記検索動作を実行する手段は、前記第１のメディア資産および前記第２のメディア資産の前記少なくとも１つにアクセスするのに使用されるドメイン名からコンテンツクリエータを判定する、請求項８に記載の装置。
【請求項１３】
前記検索動作を実行する手段は、ソーシャルネットワーキングシステムに対して行われる前記第１のメディア資産および前記第２のメディア資産の前記少なくとも１つに関するポストからコンテンツクリエータを判定する、請求項８に記載の装置。
【請求項１４】
同一のメディア資産に関する第１のポストおよび第２のポストは、前記第１のポストが行われる時と前記第２のポストが行われる時との間にある時間期間が超過する場合に限ってカウントされる、請求項１３に記載の装置。
【手続補正２】
【補正対象書類名】明細書
【補正対象項目名】００２７
【補正方法】変更
【補正の内容】
【００２７】
多数のネットワークサービスプロバイダ、オーバーザトップサービス、パーソナルメディアサーバ、ブロードキャストソース、ケーブルソース、衛星ソース、ＩＰＴＶソース、ウェブサイト、メディアを供給するオンラインソース（Ａｍａｚｏｎ、Ｅｍｕｓｉｃ、ＩＴｕｎｅｓ、および類似物など）が、以下の追跡を評価するため、この現在の例は意味ある情報を提供する。
ａ．どのソースが特定のメディア選択に対して存在するのか。
ｂ．メディア選択がどのソースから来るのかの追跡。
ｃ．アクセスされたメディアソースが、システムによって提案されたかどうかの追跡。
ｄ．ユーザが特定のソースからメディア選択を購入するかどうか（クリックスルー）の追跡。
ｅ．ユーザが選択されたメディア選択を見るために特定のソースに行ったが、購入しなかった場合の追跡。
ｆ．ユーザが特定のソースからのメディア選択にアクセスしまたはこれを見た時間の長さの追跡。
ｇ．ユーザが、特定の広告およびそのような広告のソース（ローカルオペレータ、ネットワークオペレータ、オーバーザトップサービス、放送事業者など）に応答するかどうかの追跡。
ｈ．特定のメディア資産のどのバージョンが選択されたのかおよびソースの追跡。
ｉ．標準品位対高品位など、低解像度対高解像度。
ｊ．メディア資産のビットレート。
ｋ．レギュラーバージョン対特集。
ｌ．「特集」がどれほど長くアクセスされたのか。
ｍ．メディア資産に埋め込まれまたはこれにプッシュされた広告が選択されるかどうか。
ｎ．メディア資産を選択するのにどのアプリケーションが使用されたのか、および特定のメディア資産を得るのにどれほど時間を要したのかの追跡の継続。
ｏ．検索エンジン。
ｐ．電子番組ガイド。
ｑ．広告。
ｒ．友人からのソーシャルネットワーキング推奨。
ｓ．メディア資産のコンテンツクリエータの追跡。
【手続補正３】
【補正対象書類名】明細書
【補正対象項目名】００８８
【補正方法】変更
【補正の内容】
【００８８】
図１０は、初期アクティビティに応答する「クリックスルー」またはコンテンツの購入がどれほど成功であるのかに関するレポート１０００の例示的実施形態である。たとえば、ユーザが、特定のタイムインターバル中に検索クエリ用語を使用して特定のコンテンツを検索する場合に、このレポートは、ユーザが、その資産を再生したか否か、再生しなかった、または購入したかどうかを示す。図１０はまた、メディア資産が獲得されたソース、およびメディア資産が再生されたか否かを示す。第１の場合に、資産は、ネットワークサービスプロバイダから来た。第２の場合に、資産は、オーバーザトップサービスプロバイダから来た。本開示の原理に従って、メディア資産（ならびにコマーシャルおよび／または他のタイプの広告）が来る他のソースを報告することができる。
【手続補正４】
【補正対象書類名】明細書
【補正対象項目名】０１０１
【補正方法】変更
【補正の内容】
【０１０１】
さらに、上の説明は、例示のみであることを意図され、次の特許請求の範囲で示されるものを除いて、いかなる形でも本開示を限定することは意図されていない。
本発明の好ましい実施形態を以下に示す。
付記１．メディア資産使用を判定する方法であって、
第１のメディア資産に対応する使用データから第１のタイプの前記第１のメディア資産の第１のコンテンツクリエータを識別するステップと、
第２のメディア資産に対応する使用データから第２のタイプの前記第２のメディア資産の第２のコンテンツクリエータを識別するステップであって、前記第１のメディア資産の前記第１のタイプと前記第２のメディア資産の前記第２のタイプとは異なる、ステップと、
前記第１のメディア資産および前記第２のメディア資産の少なくとも１つに対応する前記使用データが、対応するコンテンツクリエータを示すことができない場合に、検索動作を実行して、前記第１のメディア資産および前記第２のメディア資産の前記少なくとも１つを識別するステップと、
コンテンツクリエータによる前記第１のメディア資産および前記第２のメディア資産の使用を示す結果を提供するステップと、
を含む、前記方法。
付記２．前記第１のコンテンツクリエータおよび前記第２のコンテンツクリエータは、同一のエンティティである、付記１に記載の方法。
付記３．前記第１のコンテンツクリエータおよび前記第２のコンテンツクリエータは、異なるエンティティである、付記１に記載の方法。
付記４．前記第１のコンテンツクリエータおよび前記第２のコンテンツクリエータは、副アフィリエーションに分解される、付記１に記載の方法。
付記５．前記検索動作は、前記第１のメディア資産および前記第２のメディア資産の前記少なくとも１つにアクセスするのに使用されるドメイン名からコンテンツクリエータを判定する、付記１に記載の方法。
付記６．前記検索動作は、ソーシャルネットワーキングシステムに対して行われる前記第１のメディア資産および前記第２のメディア資産の前記少なくとも１つに関するポストからコンテンツクリエータを判定する、付記１に記載の方法。
付記７．同一のメディア資産に関する第１のポストおよび第２のポストは、前記第１のポストが行われる時と前記第２のポストが行われる時との間にある時間期間が超過する場合に限ってカウントされる、付記６に記載の方法。
付記８．メディア資産使用を判定する装置であって、
第１のメディア資産に対応する使用データから第１のタイプの前記第１のメディア資産の第１のコンテンツクリエータを識別する手段と、
第２のメディア資産に対応する使用データから第２のタイプの前記第２のメディア資産の第２のコンテンツクリエータを識別する手段であって、前記第１のメディア資産の前記第１のタイプと前記第２のメディア資産の前記第２のタイプとは異なる、識別する手段と、
前記第１のメディア資産および前記第２のメディア資産の少なくとも１つに対応する前記使用データが、対応するコンテンツクリエータを示すことができない場合に、検索動作を実行して、前記第１のメディア資産および前記第２のメディア資産の前記少なくとも１つを識別する手段と、
コンテンツクリエータによる前記第１のメディア資産および前記第２のメディア資産の使用を示す結果を提供する手段と、
を含む、前記装置。
付記９．前記第１のコンテンツクリエータおよび前記第２のコンテンツクリエータは、同一のエンティティである、付記８に記載の装置。
付記１０．前記第１のコンテンツクリエータおよび前記第２のコンテンツクリエータは、異なるエンティティである、付記８に記載の装置。
付記１１．前記第１のコンテンツクリエータおよび前記第２のコンテンツクリエータは、副アフィリエーションに分解される、付記８に記載の装置。
付記１２．前記動作を実行する手段は、前記第１のメディア資産および前記第２のメディア資産の前記少なくとも１つにアクセスするのに使用されるドメイン名からコンテンツクリエータを判定する、付記８に記載の装置。
付記１３．前記動作を実行する手段は、ソーシャルネットワーキングシステムに対して行われる前記第１のメディア資産および前記第２のメディア資産の前記少なくとも１つに関するポストからコンテンツクリエータを判定する、付記８に記載の装置。
付記１４．同一のメディア資産に関する第１のポストおよび第２のポストは、前記第１のポストが行われる時と前記第２のポストが行われる時との間にある時間期間が超過する場合に限ってカウントされる、付記１３に記載の装置。
【手続補正５】
【補正対象書類名】図面
【補正対象項目名】図１３
【補正方法】変更
【補正の内容】
【図１３】
2014508345.tif 000001